(57)【要約】【要  約】【課  題】  製紙機械用ベルト（シュープレスベルト）において、湿紙搾水性がよく、紙質（湿紙平滑性やマーク性）が安定し、使用中のベルト外周面の損傷（クラックや磨耗）の少ないベルトを提供する。【解決手段】    プレスロールとシューとの間に配置され、湿紙からの搾水を受容するするフェルトを載置し、前記プレスロールに向かって高圧で押しつけられる抄紙用シュープレス用ベルトにおいて、フェルト側表面に延設される排水溝の形状を製紙機械横断方向に少なくとも２種類の異なるものとする。  溝の断面形状はＵ字形又は台形の何れでも、溝底の形状も平底又は丸底の何れでも、また、それらの組み合わせであってもよい。  二種類の溝に機能を分担させることが可能となり、排水能力の向上と紙質や湿紙表面平滑性の向上とを同時に満足させることができる。【選択図】  図３
2008202198.tif 000002
【特許請求の範囲】
【請求項１】
プレスロールとシューとの間に配置され、湿紙からの搾水を受容するフェルトを載置し、前記プレスロールに向かって高圧で押しつけられる抄紙用シュープレスベルトにおいて、フェルト側表面に延設される排水溝が、製紙機械横断方向に少なくとも２種類の異なる溝形状を有することを特徴とする抄紙用シュープレスベルト。
【請求項２】
前記排水溝の溝形状が、溝深さが深いものと浅いものの２種類からなることを特徴とする請求項１記載の抄紙用シュープレスベルト。
【請求項３】
前記排水溝の溝形状が、溝深さが深いものと浅いものとが略交互に並設されることを特徴とする請求項２記載の抄紙用シュープレスベルト。
【請求項４】
前記排水溝の溝形状が、矩形、台形、Ｕ字形の何れか１種類以上を含むことを特徴とする請求項１〜３のいずれかに記載の抄紙用シュープレスベルト。
【請求項５】
前記排水溝の溝形状が、溝深さが深い溝がＵ字形であり、溝深さが浅い溝が台形であることを特徴とする請求項２〜４のいずれかに記載の抄紙用シュープレスベルト。
【発明の詳細な説明】
【技術分野】
【０００１】
本発明は、抄紙機のプレスパート、その他の類似機械において湿紙およびフェルトからの搾水性を向上するために使用するシュープレス用ベルトに関し、特にシュープレス用ベルトのフェルト側表面に延設される溝形状に関する。
【背景技術】
【０００２】
抄紙においては、生産性を向上させるために湿紙からの水分を脱水するプレスパートにおいていかに湿紙からの水分を増やすかが大きな問題となる。湿紙水分をできるだけ少なくするという目的を達成するためにプレス脱水量を多くする手段として、プレスロールの加圧を上げる、プレスロールの硬度を上げる、あるいはシュープレス用ベルトを介在させ加圧時間を長くするなどの方法が取り入れられており、プレスの際のロールとフェルトの間の加圧時間を長くし脱水効果を向上させるため、シュープレス用ベルトを介在させる方法が近年多くなってきている。
【０００３】
さらに最近ではシュープレス用ベルトには搾水した水を効率よく排水するためにフェルト側表面に多数の溝を延設するものが増えてきている。たとえば、特許文献１記載のものは、広巾ニッププレス（いわゆるシュープレス）に使用するベルトの外周面に複数の排水溝を設けて、湿紙搾水性の向上を図っている。
【０００４】
溝形状としては、加工のし易さ、生産性、コスト等の点から、従来は矩形状のものがほとんどであるが、溝底部を湾曲させたり（特許文献２及び３）、ランド部に凹曲した頂面を設けたり（特許文献４）したものが提案されている。
特許文献２記載のものは、断面をＵ字形とすることによって、シュープレスの脱水性（搾水性）と強度持続性のよいベルトを提供するもので、排水溝のランド部の端部は面取りされ、溝幅が０．５〜４ｍｍ、深さが０．５〜５ｍｍ、隣接する排水溝との間隔が１〜４ｍｍで構成されている。特許文献３には、溝底部を湾曲させたものの他、溝の側壁が外側に向けて湾曲したものも示されている。
また、特許文献４に記載されたプレスジャケット（プレスベルト）は、その外面に複数のウエッブ（ランド部）を有し、これらのウエッブの間に溝が介在しており、各ウエッブは凹曲した頭頂面を有している。
【０００５】
上記各文献における溝形状は、生産性の理由から１つの形状（溝幅、溝深さ、ランド部幅、溝数）に固定されたものであった。搾水性を向上させるためには溝幅や溝深さを大きく設定して、いわゆるベルトのボイドボリューム（排水能力）を高めたベルトが使用されてきた。
しかし、単一形状でボイドボリュームを高めたベルトを使用した場合、溝内部の亀裂やランド部の損傷・磨耗が発生し易くなりがちであった。また、プレスによる紙質や湿紙表面平滑性が悪化してくる（湿紙に溝形状の転写マークの表れる割合が大きくなる）傾向があり、逆に、溝幅や溝深さを小さく設定すると搾水性が低下するため、プレス後の湿紙乾燥消費エネルギーが増加してしまう、というような問題があった。
【０００６】
【特許文献１】実願昭５７−１４７９３１号（実開昭５９−５４５９８号）のマイクロフィルム
【特許文献２】実用新案登録第３１０４８３０号公報
【特許文献３】特開２００１−９５４８４号公報
【特許文献４】特開昭６４−６１５９１号公報
【発明の開示】
【発明が解決しようとする課題】
【０００７】
本発明は、上記問題点に鑑みなされたもので、製紙機械用ベルト（シュープレスベルト）において、湿紙搾水性がよく、紙質（湿紙平滑性やマーク性）が安定し、使用中のベルト外周面の損傷（クラックや磨耗）の少ないベルトを提供することを目的とする。
【課題を解決するための手段】
【０００８】
本発明者らは、従来１種類であった溝形状を２種類の形状を併用することによって上記課題を解決できることを見出し、本発明に至った。すなわち、本発明は、排水能力を分担する主溝形状と、紙質や湿紙表面平滑性を分担する副溝形状の２種類の形状の排水溝をベルト外周面に設けることを特徴とする抄紙用シュープレスベルトに係るものである。
【０００９】
本発明は、基本的には２種類の溝形状の排水溝を有する抄紙用シュープレスベルトに関する発明であり、以下の各技術を基礎とするものである。
【００１０】
（１）プレスロールとシューとの間に配置され、湿紙からの搾水を受容するするフェルトを載置し、前記プレスロールに向かって高圧で押しつけられる抄紙用シュープレス用ベルトにおいて、フェルト側表面に延設される排水溝が、製紙機械横断方向に少なくとも２種類の異なる溝形状を有することを特徴とする抄紙用シュープレス用ベルト。
【００１１】
（２）前記排水溝の溝形状が、溝深さが深いものと浅いものの２種類からなることを特徴とする（１）記載の抄紙用シュープレスベルト。
【００１２】
（３）前記排水溝の溝形状が、溝深さが深いものと浅いものとが略交互に並設されることを特徴とする（２）記載の抄紙用シュープレスベルト。
【００１３】
（４）前記排水溝の溝形状が、矩形、台形、Ｕ字形の何れか１種類以上を含むことを特徴とする（１）〜（３）のいずれかに記載の抄紙用シュープレスベルト。
【００１４】
（５）前記排水溝の溝形状が、溝深さが深い溝がＵ字形であり、溝深さが浅い溝が台形であることを特徴とする（２）〜（４）のいずれかに記載の抄紙用シュープレスベルト。
【発明の効果】
【００１５】
本発明によれば、排水性の良い溝形状と紙マーク性の良い溝形状とが、製紙機械横断方向に並設されているから、それぞれの機能はそれぞれの溝形状に分担させることが可能となり、排水能力の向上と紙質や湿紙表面平滑性の向上とを同時に満足する抄紙用シュープレスベルトを提供することができる。
【発明を実施するための最良の形態】
【００１６】
本発明の実施の形態を、図面に基づき説明する。
図１は、本発明の抄紙用シュープレスベルトの排水溝を形成（切削）する装置1の概略図である。
【００１７】
まず、無端状の基体２を２本のロール３、３間に掛けわたし、所定の張力で緊張させる。このロール３は回転自在であり、基体２はロール３の回転方向に進行する。そのような状況下において基体２の上から液状ポリウレタンを適用し、硬化させることにより基体２の全周に亙りポリウレタン層を形成する。しかる後、ポリウレタン層４が設けられた基体２の外周面５に対して溝切装置６を用いて排水溝７を形成する。
【００１８】
溝切装置６には、図２に示すように溝切削用の切削刃８ａ、８ｂが配列された切削刃を設置する。
【００１９】
溝形状は、溝深さが深い（deep）もの（主溝７ａ）と浅い（shallow）もの（副溝７ｂ）の２種類から構成され（図３及び４）、両者が略交互にあるいは所定のパターンで並設される。
【００２０】
溝寸法は、溝幅が０．５〜２ｍｍ、溝深さが０．５〜２ｍｍ、隣接する排水溝とのランド部の間隔が１〜５ｍｍの範囲で採用され、主溝７ａと副溝７ｂの空隙量が所定の相対比になるようにベルト外周面５と切削刃８ａ、８ｂとの距離（クリアランス）を適宜調整する。溝１本当りの空隙量（ボイドボリューム）の相対比は、主溝１００に対し、副溝１０〜７０であり、好ましくは２５〜５０である。
【００２１】
溝の組み合わせパターンは、溝深さが深いものをｄ、浅いものをｓとすると、
パターンＩ：ｄ−ｓ−ｄ−ｓ（主溝１本の隣に副溝１本を組込むもの）
パターンII：ｄ−ｓｓ−ｄ−ｓｓ（主溝１本の隣に副溝２本を組込むもの）
パターンIII：ｄｄ−ｓ−ｄｄ−ｓ（主溝２本の隣に副溝１本を組込むもの）
パターンIV：ｄｄ−ｓｓ−ｄｄ−ｓｓ（主溝２本の隣に副溝２本を組込むもの）
などがある。
パターンＩの場合が、クラック性、搾水性、湿紙マーク性のバランスが最も良好である。搾水性がやや落ちるが、クラック性と湿紙マーク性を重視する場合はパターンIIを、逆にクラック性と湿紙マーク性がやや落ちても、搾水性を重視する場合はパターンIIIを選択する。
【００２２】
また、その断面形状は、矩形又は台形の何れでも、溝底の形状も平底又は丸底の何れでも、また、それらの組み合わせであってもよい。断面Ｕ字形とは、溝底の形状が丸底のものである。図４は、主溝７ａ（溝深さが深い溝）がＵ字形、すなわち断面形状がＵ字形で溝底の形状が丸底であり、副溝７ｂ（溝深さが浅い溝）が台形（断面形状が台形で溝底が平底）である例である。
【００２３】
主溝と副溝の断面形状の組み合わせでは、矩形同士のものがクラック性、搾水性、湿紙マーク性のバランスが最もよい。搾水性を重視し、主溝が矩形で副溝が台形とした場合は湿紙マーク性がやや落ちる。クラック性と搾水性を重視し、主溝が台形で副溝が矩形とした場合も、湿紙マーク性がやや落ちる。  
溝底形状の組み合わせでは、主溝が丸底で副溝が平底の場合は、クラック性を保持したまま加工性が良好であり、丸底同士の組み合わせが最も良好である。
【００２４】
溝切削のないランド部の端部には、面取りを施すことで、端部の欠損や耳欠けを防止する。
ベルト外周面と切削刃との距離を適宜調整することによって、溝深さを調整することができる。
【００２５】
溝をベルト表面に対して１回の切削工程で形成する場合は、半径の異なるメタルソー（切削刃）を交互または所定の組み合わせパターンに従い配列する（図２）。あるいは、２回の切削工程を経る場合は、まず半径の小さいメタルソー（切削刃）を配列して副溝（浅い溝）を切削し、次いで半径の大きいメタルソー（切削刃）を配列して副溝（浅い溝）の間隙に主溝（深い溝）を切削する。
【００２６】
＜性能評価方法＞
製造されたシュープレスベルトについては、以下の試験により性能を評価し、機能順を付けて総合評価する。
【００２７】
＜クラック試験＞
図５に示す装置を用いる。この装置は、実験片Ｓの両端が、クランプハンドＣＨ、ＣＨにより挟持され、クランプハンドＣＨ、ＣＨが、連動して左右方向に往復移動可能に構成されている。なお、この際、実験片Ｓに掛けられる張力は３ｋｇ／ｃｍ、往復速度は４０ｃｍ／秒である。そして、実験片Ｓは、プレスロールＲＲと、プレスシューＰＳとにより加圧される。この際、プレスシューＰＳがプレスロールＲＲ方向に移動することにより、実験片Ｓは加圧される。なお、この圧力は３６ｋｇ／ｃｍ２である。この装置により、クラックが生じるまでの往復回数を測定する。なお、実験片における評価面は、プレスロールＲＲ側に向けられているものである。
評価点Ａ：クラック発生までの回数（単位；万回）が２６万回以上であったもの。
評価点Ｂ：１２万回〜２６万回の範囲のもの。
評価点Ｃ：１２万回以下であったもの。
【００２８】
＜搾水試験＞
図６に示す装置を使用して湿紙搾水テストを行う。本テスト装置は、プレスロールＰＲと対向する位置にベルト本体Ｂを配置するとともに、該ベルト本体Ｂをその内周側から前記プレスロールＰＲに圧迫するようにプレスシューＰＳを配置する。また、前記プレスロールＰＲとベルト本体Ｂとの間には、ナイロン６による１１ｄｔｅｘの短繊維を、坪量が１５００ｇ／ｍ２となるようニードルパンチ法にて基布に植毛してなるトップ側フェルトＦｔとボトム側フェルトＦｂを配置してなる。いま、ベルト本体Ｂを、プレスロールＰＲとプレスシューＰＳとのニップ圧が１０００ｋＮ／ｍの下で１０００ｍ／分の走行速度で走行させる。そして、前記プレスロールＰＲ上にその上方に設置したノズルＮから３ｋｇ／ｃｍ２の圧力で１５リットル／分で水流Ｗを噴射する。このときトップロールは水流Ｗの膜に覆われるとともに、該水流Ｗはトップ側フェルトＦｔ及びボトム側フェルトＦｂに含浸された後、ベルト本体Ｂにも供給される。このような状態において、前記ボトム側フェルトＦｂ上に、水分が７０％含有されている湿紙シートＷＳを載置し、ニップを通過させ、通過後の湿紙シートＷＳの水分を測定する。
評価点Ａ：湿紙水分が４５％以下であったもの。
評価点Ｂ：４５％〜５３％の範囲のもの。
評価点Ｃ：５３％以上であったもの。
【００２９】
＜湿紙マーク性試験＞  
(1)  上記搾水試験で搾水した湿紙を５０℃の乾燥器内に２４時間保管して乾燥させた後、該乾燥紙の表面を写真撮影する。  
(2)  スキャナーでコンピュータに画像を読込む。この際、適宜画像を鮮明にする作業を行う。なお、画像読み込みソフトとしては、Adobe社の「Photoshop 5」等を使用する。
(3)  画像処理ソフトにて、前記乾燥紙に転写している溝部面積（溝マーク）を計算する。この際、画像処理ソフトとしては、  National  Institutesof  Health  社の「ＮＩＨ  image」を使用する。
(4)このような画像処理ソフトを使って、前記乾燥紙に転写している溝部面積（溝マーク）の割合を、ベルト外表面の溝面積に対する割合で算出する。
評価点Ａ・・５０％以下のもの
評価点Ｂ・・５０〜７５％以内のもの
評価点Ｃ・・７５％以上のもの
【００３０】
＜機能順位＞
試験結果については、上記各試験のそれぞれの評価点を基に総合評価し、以下の機能順位を付与する。
評価点がすべてＡのもの        →  順位1位
評価点が２つＡで他がＢのもの  →  順位２位
評価点が１つＡで他がＢのもの  →  順位３位
評価点に１つでもＣがあるもの  →  順位４位
【実施例】
【００３１】
上記構成によるシュープレスベルトについて、具体的に以下に示す工程により、実施例１〜９及び比較例１、２を作成した。
【００３２】
工程１：図1に示す装置を用い、無端状の基体を2本ロール間に掛け入れ、所定の張力で緊張させる。
工程２：基体の上から液状ポリウレタンを配置し、硬化させることにより基体の全周に亙りポリウレタン層を形成する。
工程３：溝切装置に主溝切削用の切削刃８ａ及び副溝切削用の切削刃８ｂをそれぞれ設置する。この切削刃の形状および切削条件は表１に従った。溝寸法は主溝と副溝の空隙量が表に記載される相対比になるようにベルト外周面と切削刃との距離（クラアランス）を適宜調整する。
【００３３】
【表１】
2008202198.tif 000003
【００３４】
なお、主溝と副溝の形状は次の範囲により調整する。
主溝（深い溝 ）；溝幅・・・０．８〜１．２ｍｍ
溝深さ・・０．８〜１．８ｍｍ
隣接する排水溝とのランド部の間隔・・２ｍｍ
（主溝と副溝が交互に配置している場合は、主溝間隔は４ｍｍとなる。）
副溝（浅い溝 ）；溝幅・・・０．５〜１．２ｍｍ
溝深さ・・０．１〜１．５ｍｍ
隣接する排水溝とのランド部の間隔・・２ｍｍ
（主溝と副溝が交互に配置している場合は、主溝間隔は４ｍｍとなる。）  
ベルト外周面への切削は製紙機械方向に対して、ベルト外周面と切削刃との距離を適宜調整して切削する。
【００３５】
実施例１〜９及び比較例１、２に係るシュープレスベルトについて、クラック試験、搾水試験及び湿紙マーク性試験を行い、性能を評価した。その結果を表２に示す。
【００３６】
【表２】
2008202198.tif 000004
【００３７】
表２の結果によれば、主溝と副溝の空隙量相対比が１００／２５、主溝と副溝が１本づつ交互に並列するパターンであって、横断面形状がＵ字形、溝底が丸底であるものが、３つの評価試験についていずれも良好な評価が得られており、最もバランスよいものであった。
【産業上の利用可能性】
【００３８】
本発明によるシュープレスベルトは、排水能力と紙質向上を同時に満足させることができるので、抄紙機のプレスパート、その他の類似機械において湿紙およびフェルトからの搾水性を向上するために使用するシュープレス用ベルトとしてきわめて有用である。
【図面の簡単な説明】
【００３９】
【図１】本発明のシュープレスベルトの排水溝を形成する装置である。
【図２】本発明の溝形成に使用する切削刃の配置を説明する図である。
【図３】本発明のシュープレスベルトの溝形状を示す図である。
【図４】本発明のシュープレスベルトの他の溝形状を示す図である。
【図５】クラック試験に使用する装置を示す図である。
【図６】搾水試験の概要を示す図である。
【符号の説明】
【００４０】
１：排水溝形成装置    
２：基体
３：ロール
４：ポリウレタン層  
５：外周面  
６：溝切装置
７：排水溝
７ａ：主溝
７ｂ：副溝
８ａ：主溝用切削刃
８ｂ：副溝用切削刃
Ｓ：試験片
ＣＨ：クランプハンド
ＰＲ：プレスロール
ＰＳ：プレスシュー
Ｂ：ベルト本体
Ｎ：ノズル
Ｗ：水流
Ｆｔ：トップ側フェルト
Ｆｂ：ボトム側フェルト
ＷＳ：湿紙シート
【図１】
2008202198.tif 000005
【図２】
2008202198.tif 000006
【図３】
2008202198.tif 000007
【図４】
2008202198.tif 000008
【図５】
2008202198.tif 000009
【図６】
2008202198.tif 000010